(57)【要約】【課題】都市部の駅ホームや、地下鉄の駅ホームでは、駅ホームのスペースが狭く、列車の乗降口または可動式ホーム柵の開閉部を広範囲にするための監視用カメラ装置のカメラ部の設置スペースを十分に確保できない。【解決手段】本発明の可動式ホーム柵監視用カメラ装置は、可動式ホーム柵と、反射鏡と、前記可動式ホーム柵内に設置し前記反射鏡を介して前記可動式ホーム柵を撮像するカメラ部と、前記カメラ部が撮像した画像から乗客を検出する画像処理部と、モニタとを備え、前記画像処理部は、前記カメラ部が撮像した画像から前記可動式ホーム柵の開閉部およびその周辺を切り出して合成した合成画像を作成し、前記モニタは、前記合成画像を表示する。【選択図】図６
2013067215.tif 000002
【特許請求の範囲】
【請求項１】
可動式ホーム柵と、反射鏡と、前記可動式ホーム柵内に設置し前記反射鏡を介して前記可動式ホーム柵を撮像するカメラ部と、前記カメラ部が撮像した画像から乗客を検出する画像処理部と、モニタとを備え、
前記画像処理部は、前記カメラ部が撮像した画像から前記可動式ホーム柵の開閉部およびその周辺を切り出して合成した合成画像を作成し、前記モニタは、前記合成画像を表示することを特徴とする可動式ホーム柵監視用カメラ装置。
【発明の詳細な説明】
【技術分野】
【０００１】
本発明は、カメラ設置スペースを確保し難い狭小地の監視用カメラ装置に関わり、特に、可動式ホーム柵が設置された駅ホームの監視用カメラ装置に関する。
【背景技術】
【０００２】
従来は、駅ホームに設置される監視用カメラ装置のカメラ部は、駅ホームの天井からポール等の支持具で吊り下げ固定されていた。その他、監視用カメラ装置のカメラ部は、駅ホームの柱や壁に固定されていた。
また、可動式ホーム柵（ホームドア）の開閉部には、赤外線センサーやフェンスセンサーなどのセンサーを内蔵して、開閉部に挟まれた人物を検知し、強制的に開扉するなどの制御を行なっている。
しかし、従来の監視用カメラ装置は、カメラ部が撮像した画像をもとに、人物が可動式ホーム柵の開閉部に挟まる危険を事前に回避したり、可動式ホーム柵の開閉部を強制開扉させるように構成されていない。
【先行技術文献】
【特許文献】
【０００３】
【特許文献１】特開昭６１−０７４４６９号公報
【特許文献２】特開２００３−１４６２０１号公報
【発明の概要】
【発明が解決しようとする課題】
【０００４】
特許文献１には、プラットホーム（駅ホーム）の中央部天井に反射鏡を設置し、対向するプラットホームの上部側壁、またはプラットホーム側の側壁に設けた凹所にカメラ部を設置し、反射鏡に映ったプラットホームをカメラ部が撮像し、カメラ部によって撮像された情景を入力して列車の旅客数を検知するという技術が開示されている。しかし、可動式ホーム柵に関する技術については記載されておらず、カメラ設置スペースを確保し難い狭小地におけるカメラ部の設置に関わるが、可動式ホーム柵が存在するための問題についての記載がない。
特許文献２には、可動式ホーム柵が設置された駅ホームにおいて、カメラ部を可動式ホーム柵の側面等に設け、可動式ホーム柵と列車間をカメラ部で監視し、障害となる物や人がいた場合には、可動式ホーム柵の開閉部を開扉する技術が開示されている。ただし、カメラ部が可動式ホーム柵と列車間に設けられているため、プラットホーム（駅ホーム）側から開閉扉（開閉部）およびその周辺に近付く乗客を検出することができない（監視ができない）。
【０００５】
都市部の駅ホームや、地下鉄の駅ホームでは、駅ホームのスペースが狭く、列車の乗降口または可動式ホーム柵の開閉部を広範囲にするための監視用カメラ装置のカメラ部の設置スペースを十分に確保できない問題がある。
また、列車の乗降口や可動式ホーム柵など、乗降客が出入りする最も監視したいポイントを上方向から俯瞰的に撮像しようとしても、建築限界の制約があり、カメラ部を設置することが困難であった。
さらに、撮像された画像は、奥に存在する可動式ホーム柵ほど小さく映るため、監視者が視認（監視）し難い問題がある。
またさらに、可動式ホーム柵には乗降客が挟まったタイミングで強制開扉する機能はあっても、乗降客の行動（移動方向、移動速度）から柵の閉扉タイミングを自動制御して事前に危険を回避することはできなかった。
【０００６】
本発明の目的は、上記の問題に鑑み、駅ホームのようなカメラ部の設置スペースを確保し難い狭小地でも、可動式ホーム柵内部またはホーム天井部に監視用カメラ装置のカメラ部を設置することで、可動式ホーム柵の開閉部の効率的な監視を可能にする可動式ホーム柵監視用カメラ装置を提供することにある。
また、本発明の監視用カメラ装置は、画像処理技術を組み合わせることで、可動式ホーム柵の開閉部の開閉タイミングを制御する。この結果、可動式ホーム柵の開閉部に挟まれた人物、または列車の車両と可動式ホーム柵の隙間に挟まった人物を自動的に検出し、可動式ホーム柵の開閉部を強制開扉したり警報ベルを鳴動するようにした。
【課題を解決するための手段】
【０００７】
上記の目的を達成するため、本発明の可動式ホーム柵監視用カメラ装置は、可動式ホーム柵と、反射鏡と、前記可動式ホーム柵内に設置し前記反射鏡を介して前記可動式ホーム柵を撮像するカメラ部と、前記カメラ部が撮像した画像から乗客を検出する画像処理部と、モニタとを備え、前記画像処理部は、前記カメラ部が撮像した画像から前記可動式ホーム柵の開閉部およびその周辺を切り出して合成した合成画像を作成し、前記モニタは、前記合成画像を表示することを第１の特徴とする。
【０００８】
また、上記本発明の第１の特徴の可動式ホーム柵監視用カメラ装置において、前記カメラ部はメガピクセルカメラであることを第２の特徴とする。
【０００９】
また、上記本発明の第２の特徴の可動式ホーム柵監視用カメラ装置において、他の鉄道会社の乗り入れ駅など列車の編成に応じて可動式ホーム柵の開閉部が変わるため、外部から供給される列車信号により、列車の編成に応じて切りだしエリアを自動的に選択切り出して合成映像を作成することを第３の特徴とする。
【００１０】
また、上記本発明の第１の特徴乃至第３のいずれかの特徴の可動式ホーム柵監視用カメラ装置において、前記反射鏡は、道路反射鏡であることを第４の特徴とする。
さらに、上記本発明の第１の特徴乃至第４のいずれかの特徴の可動式ホーム柵監視用カメラ装置において、前記反射鏡は、駅ホームの天井に設けられたことを第５の特徴とする。
またさらに、上記本発明の第１の特徴乃至第５のいずれかの特徴の可動式ホーム柵監視用カメラ装置において、前記カメラ部は、撮像した画像または合成した画像を左右反転させて出力することを第６の特徴とする。
【００１１】
また、上記本発明の第１の特徴乃至第６のいずれかの特徴の可動式ホーム柵監視用カメラ装置において、天井設置の鏡で反射された映像をもとに画像処理で乗客を検出し、検出した乗客の移動方向、移動速度、前記柵可動式ホーム柵開閉部までの距離を算出し、これらの情報から前記可動式ホーム柵開閉部に到達するまでの時間を算出し、前記可動式ホーム柵の閉扉タイミングを制御することを第７の特徴とする。
【００１２】
また、上記本発明の第１の特徴乃至第７のいずれかの特徴の可動式ホーム柵監視用カメラ装置において、前記反射鏡で反射された映像をもとに画像処理で乗客を検出し、前記可動式ホーム柵と列車の間及び前記可動式ホーム柵開閉部に一定時間以上乗客が留まっていると判断された場合、および閉扉前であった場合には、前記可動式ホーム柵開閉部の閉扉時間を延長し、閉扉後の場合は、前記駅ホーム設置の警報ベルを自動鳴動させると共に、前記可動式ホーム柵開閉部を強制開扉することを第８の特徴とする。
【００１３】
また、上記本発明の第１の特徴乃至第８のいずれかの特徴の可動式ホーム柵監視用カメラ装置は、ホーム天井裏にカメラを設置し、ホーム天井部にスリット（隙間）を設けたスリット式カメラで可動式ホーム柵開閉部並びにその周辺を撮像する。撮像されたスリット画像は時間順に合成され１枚の静止画を提供することを第９の特徴とする。
【００１４】
また、上記本発明の第１の特徴乃至第９のいずれかの特徴の可動式ホーム柵監視用カメラ装置は、合成されたスリット画像から、画像処理で人物を検出し、人物の移動方向、人物の可動式ホーム柵への移動速度、柵までの距離を算出し、これらの情報から可動式ホーム柵開閉部に到達するまでの時間を算出し、可動式ホーム柵の閉扉タイミングを制御することを第１０の特徴とする。
【００１５】
また、上記本発明の第１の特徴乃至第９のいずれかの特徴の可動式ホーム柵監視用カメラ装置は、合成されたスリット画像から、画像処理で人物を検出し、可動式ホーム柵と列車の間及び可動式ホーム柵開閉部に一定時間以上人物が留まっていると判断された場合、閉扉前であった場合は、可動式ホーム柵の閉扉時間を延長し、閉扉後の場合は、ホーム設置の警報ベルを自動鳴動させると共に、可動式ホーム柵を強制開扉することを第１１の特徴とする。
【００１６】
また、上記本発明の第１の特徴乃至第１１のいずれかの特徴の可動式ホーム柵監視用カメラ装置は、ホーム天井に設置されたドーム式カメラで、ドーム式カメラ内部の凸面反射鏡で反射された像がさらに凹面反射鏡で反射した像を凸面反射鏡内部のカメラ部で撮像することで、凸面周囲の歪んだ画像を光学的に補正する。凸面反射鏡はマジックミラーとし、凸面反射鏡内部のカメラ部設置箇所を暗部、凸面反射鏡から外を明部とすることで、マジックミラーを通して、カメラ部は凹面鏡に反射された像を撮像することができることを第１２の特徴とする。
【００１７】
また、上記本発明の第１２の特徴の可動式ホーム柵監視用カメラ装置において、撮像された円形の画像を４分割した扇形の画像をさらに矩形の画像に変換し、この４画像を合成して１枚の画像に変換することを第１３の特徴とする。
【００１８】
また、上記本発明の第１３の特徴の可動式ホーム柵監視用カメラ装置において、合成された画像の中から、柵開閉部周辺エリアを切りだして合成することで、可動式ホーム柵の開閉部を効率的に監視することを第１４の特徴とする。
【発明の効果】
【００１９】
本発明によれば、駅ホームのようなカメラ設置スペースを確保し難い狭小な場所でも、可動式ホーム柵内部またはホーム天井部にカメラ部を設置することで、可動式ホーム柵開閉部など重要な監視ポイントを効率的に監視することが可能である。例えば、本発明によれば、カメラ部を可動式ホーム柵内部に設置して外部に設けられた反射鏡で反射された像を撮像したり、カメラ部を天井裏に設置して撮像することで、設置スペースの問題を解決すると共に、カメラ部が人の目に触れにくい場所に存在するためカメラ部による監視の威圧感も軽減される。
また、本発明によれば、監視用カメラ装置に画像処理技術を組み合わせて乗客の行動を検出および予測することで、可動式ホーム柵の開閉時刻を制御したり、可動式ホーム柵に挟まれた人物または車両と柵の隙間に挟まった人物を自動的に検出し、可動式ホーム柵の開閉部を強制開扉したり警報ベルを鳴動したりすることが可能である。例えば、本発明によれば、可動式ホーム柵の開閉部のみを切り出した映像を合成して提供することで、視認性を向上させることができる。また、合成画像を、拡大および座標変換して、相対的に開閉部が正面から見えるような画像とすることで、さらに、視認性を向上させることができる。
本発明によれば、画像処理により算出された乗降客の移動方向、および移動速度から可動式ホーム柵の閉扉タイミングを自動制御して事前に危険を回避することが可能となる。
【図面の簡単な説明】
【００２０】
【図１】本発明の可動式ホーム柵監視用カメラ装置の一実施例の簡単な構成を説明するための図である。
【図２】本発明の可動式ホーム柵監視用カメラ装置の一実施例において、カメラ部１２が撮像した画像の一例である。
【図３】発明の可動式ホーム柵監視用カメラ装置の一実施例において、可動式ホーム柵の内部（列車側）上面に設置されるカメラ部の一例を説明する図である。
【図４】本発明の可動式ホーム柵監視用カメラ装置の一実施例において、可動式ホーム柵の内部上面に設置されるカメラ部で撮像された画像の一例を示す図である。
【図５】本発明の可動式ホーム柵監視用カメラ装置の一実施例において、可動式ホーム柵の内部上面に設置されるカメラ部で撮像された画像の一例を示す図である。
【図６】本発明の可動式ホーム柵監視用カメラ装置の構成の一実施例を示す図である。
【図７】本発明の可動式ホーム柵監視用カメラ装置の一実施例であって、天井裏に設置したカメラ部について説明するための構成例を示す図である。
【図８】図７に示したスリット式カメラ部７２が撮像した画像を、時間順に合成した画像の一例を示す図である。
【図９】本発明の可動式ホーム柵監視用カメラ装置の一実施例にであって、天井等の上方に設置したドーム式カメラ部について説明するための構成例を示す図である。
【図１０】図９のドーム式カメラ部が撮像した画像と該撮像画像を変換した変換画像を説明するための図である。
【発明を実施するための形態】
【００２１】
以下に本発明の一実施形態を図面等を用いて説明する。
なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
また、各図の説明において、共通な機能を有する構成要素には同一の参照番号を付し、できるだけ説明の重複を避ける。
【００２２】
図１は、本発明の可動式ホーム柵監視用カメラ装置の一実施例の簡単な構成を説明するための図である。図１（ａ）は横方向（ホームと平行方向）から見た構成図であり、図１（ｂ）は駅ホーム側から可動式ホーム柵を見た構成図である。１１は可動式ホーム柵（ホームドア）、１２は可動式ホーム柵１１の内部に設置された監視用カメラ装置のカメラ部、１３は可動式ホーム柵１１内部の側面部のカメラ部１２の設置箇所に設けられたカメラ窓、１４は駅ホーム側に設置された反射鏡である。カメラ部１２は、例えば、メガピクセルカメラなどの高画素のカメラである。なお、反射鏡１４は、道路反射鏡を用いても良い。
図１において、反射鏡１４は、可動式ホーム柵１１の開閉部や列車乗降口などを中心とした監視ポイントが広角に映し出されるように、駅ホーム側に設置される。カメラ部１２は、可動式ホーム柵１１の側面方向からカメラ窓１３を通して、反射鏡１４に映し出された像を入射し、当該入射光を電気信号に変換することによって撮像する。カメラ部１２は、左右反転させた画像を出力する。反射鏡１４は、例えば、カメラ部１２がカメラ窓１３および反射鏡１４を介して可動式ホーム柵１１の所望の場所（例えば、開閉部の周辺）を撮像可能に設置される。例えば、反射鏡１４は、駅ホーム天井や駅ホームの壁面上部に、直接若しくは支持具で固定される。
反射鏡１４は、平面鏡のほか、例えば凹面状等、曲面を持つものを使用しても良い。また、反射鏡１４は、駅ホームの監視場所の形状に応じて、平面、凹面、凸面等を組み合わせた面形状としても良い。
なお、上記実施例では、カメラ部は撮像した画像を左右反転させて出力したが、カメラ部が左右反転せず、図６に後述する画像切出合成部６３が左右反転させて出力しても良い。
【００２３】
図２は、本発明の可動式ホーム柵監視用カメラ装置の一実施例において、カメラ部１２が撮像した画像の一例である。２１は図１のカメラ部１２で撮像された画像、２２は画像２１中の可動式ホーム柵、２３は画像２１中の可動式ホーム柵２２の開閉部Ａを中心に切り出した画像、２４は画像２１中の可動式ホーム柵２２の開閉部Ｂを中心に切り出した画像、２５は画像２１中の可動式ホーム柵２２の開閉部Ｃを中心に切り出した画像、２６は画像２１中の可動式ホーム柵２２の開閉部Ｄを中心に切り出した画像、２７は開閉部Ａ〜Ｄを中心に切り出した画像２３〜２６を合成した合成画像である。このように、可動式ホーム柵１１の開閉部Ａ〜Ｄの周辺部を切り出し、切り出した画像を合成する。
なお、図２において、メガピクセルカメラなどの高画素の監視用のカメラ１２で撮像された画像の場合には、１枚の画像を複数の小さな画像に切り出しても人物の視認可能な画質レベルは保持される。
【００２４】
図２に示すように、可動式ホーム柵１１の開閉部Ａ〜Ｄを中心に切り出した画像２３〜２６を合成して１枚の画像２７として作成する。この結果、監視者は１枚の画像の中で効率的に監視したいポイントを、拡大した画像で効率的に視認することができる。
また、複数の鉄道会社の乗り入れ駅や、複数の路線が交わる駅など、車両編成の異なる列車がホームに入線するような場合においては、駅ホームの列車乗降口の位置が変わることがある。同様に、可動式ホーム柵の開閉部の位置が変わることがある。このような場合には、切り出す画像の場所を列車編成に応じて自動的に変更する。この結果、監視者が見たい画像を得ることができる。例えば、１０両編成の列車が入線した場合は、開閉部Ａを中心に切り出した画像２３と開閉部Ｃを中心に切り出した画像２５を合成した画像を作成し、１４両編成の列車が入線した場合は、開閉部Ｂを中心に切り出した画像２４と開閉部Ｄを中心に切り出した画像２６を合成した画像を作成するなど、編成に応じた画像を作成する。また、例えば、開閉部Ａ〜Ｄの中心で切り出すのではなく、開閉部Ａと開閉部Ｂは中心よりやや左側にずらして切り出し、開閉部Ｃと開閉部Ｄは中心よりやや右側にずらして切り出し、これら切りだした画像を合成する。
なお、この切り出し位置の変更は、例えば、後述する図６の列車編成信号出力装置６６から、画像切出合成部６３が、入力される列車編成情報に基づいて予め定められ位置の画像を切り出す。
【００２５】
図６は、本発明の可動式ホーム柵監視用カメラ装置の構成の一実施例を示す図である。６２は映像分配器、６３は画像切出合成部、６４はモニタ、６５は画像処理部、６６は列車編成信号出力装置、６７はアラーム音出力スピーカ、６８は警報ベル、６９は可動式ホーム柵である。
図６において、カメラ部１２は、可動式ホーム柵１１の側面方向からカメラ窓１３を介して、反射鏡１４に映し出された像を撮像する。そして、カメラ部１２は、撮像した画像を映像分配器６２に出力する。映像分配器６２は入力された画像を分配し、分配したそれぞれの画像を画像切出合成部６３と画像処理部６５に出力する。
また、列車編成信号出力装置６６は、駅ホームに入線する列車に関連する情報（例えば、列車編成信号）を画像切出合成部６３に出力する。
画像切出合成部６３は、列車編成信号出力装置６６から入力された列車編成信号から必要箇所のみを切り出して合成した画像をモニタ６４に出力する。モニタ６４は画像を表示し、監視者は、モニタに表示された画像を見て、駅ホームの可動式ホーム柵の周辺を監視する（図２参照。）。
【００２６】
画像処理部６５は、入力された画像を所定の周知のアルゴリズムに基づいて画像処理し、人物（乗客）を抽出し、抽出した乗客それぞれについて、乗客の行動を検知する。画像処理部６５は、もし、可動式ホーム柵１１の閉扉直前の開閉部（開閉エリア）に向かう乗客が危険な行動をしていると判断した場合には、アラーム音出力スピーカ６７、警報ベル６８、可動式ホーム柵６９に、それぞれ必要な制御信号を出力する。乗客の行動は、例えば、現在の乗客の位置、移動速度、若しくは移動方向等の移動情報である。また画像処理部６５が危険な行動と判断する状態は、例えば、可動式ホーム柵１１の開閉部に乗客が到達する時刻（若しくは、開閉部までの距離）を、移動情報に基づいて予想し、予想した時刻若しくはタイミングに開閉部が閉じている、若しくは、閉扉を開始していると判断した場合である。また、また画像処理部６５が危険な行動と判断する状態は、乗客が、開閉部の領域（例えば、後述の図４で示す開閉部４５）内に、所定の時間以上、若しくは、閉扉直前に留まっていると判断した場合である。
そして、上記の制御信号が入力されたことにより、アラーム音出力スピーカ６７と警報ベル６８は、警報（アラーム音出力スピーカ、警報ベル）を鳴らす。また、可動式ホーム柵６２は、入力された制御信号に応じて、開閉部の強制開扉を行なう、あるいは、開閉部の閉扉を開始する時刻を延長させる。
【００２７】
図３は、本発明の可動式ホーム柵監視用カメラ装置の一実施例において、可動式ホーム柵の内部（車両側）上面に設置されるカメラ部の一例を説明するための図である。
天井に設けた反射鏡１４には、可動式ホーム柵１１の開閉部や列車乗降口などを中心とした監視ポイントを上方向から俯瞰した像が映し出される。監視用のカメラ部１２は、可動式ホーム柵１１の上面方向からカメラ窓１３を介して、天井の反射鏡１４に映し出された像を撮像する。カメラ部１２は、撮像した画像を左右反転させて出力する。
【００２８】
図４は、本発明の可動式ホーム柵監視用カメラ装置の一実施例において、可動式ホーム柵の内部上面に設置されるカメラ部１２で撮像された画像の一例を示す図である。４１はカメラ部１２で撮像された画像、４２は可動式ホーム柵、４３は移動速度の速い乗客、４４は移動速度の遅い乗客、４５は可動式ホーム柵の開閉エリア（開閉部）、４６は可動式ホーム柵４２の車両側のエリア、４７は車両である。
乗客４３および４４は、矢印の方向に進み開閉部４５または４６を通過して車両４７に乗ろうとしている。矢印の長さが、それぞれの乗客４３および４４の進む速度の大きさを示している。
【００２９】
図５もまた、図４と同様に、本発明の可動式ホーム柵監視用カメラ装置の一実施例において、可動式ホーム柵の内部上面に設置されるカメラ部１２で撮像された画像の一例を示す図である。５１は時刻ｔの時に撮像された画像、５４は時刻ｔ＋１の時に撮像された画像、５７は時刻ｔ＋２の時に撮像された画像である。また、５２、５５および５８は乗客（Ａ）、５３、５６および５９は乗客（Ｂ）、５１０は乗客（Ａ）５８と可動式ホーム柵４２の開閉部４５までの距離を示す矢印である。
図５において、画像処理部６５は、画像５１、５４、５７の中から乗客を検出し、時刻の異なる複数の画像から同一人物の乗客の移動方向および移動距離を算出する。移動方向が可動式ホーム柵１１の開閉部方向（車両側）ではないものは除外し、開閉部方向に向かう乗客の移動距離から平均移動速度を算出する。
時刻ｔから時刻ｔ＋１までに乗客Ａが移動した距離は、時刻ｔの画像５１で検出された乗客Ａの位置と時刻ｔ＋１の画像５４で検出された乗客Ａの位置の差分距離で求める。移動速度は、求めた差分距離を時刻ｔ＋１から時刻ｔを引いた差分時間で除算した値である。なお、移動方向についても、時刻ｔの画像５１で検出された乗客Ａの位置と時刻ｔ＋１の画像５４で検出された乗客Ａの位置から求める。
同様に時刻ｔ＋２およびｔ＋１の画像から速度を求めて、複数の速度の平均値を平均速度とする。時刻ｔ＋２の画像から乗客から開閉部までの距離を算出し、乗客が開閉部に到達する予想時刻を求める。予想時刻ｔｒは、平均速度をｖ、開閉部までの距離をＬとすると、
ｔｒ＝Ｌ／ｖ            ・・・式（１）
で求めることができる。
【００３０】
即ち、現在時刻からｔｒ後の時刻が予想時刻となる。予想時刻ｔｒ経過後に、可動式ホーム柵１１の開閉部が閉扉する場合には問題はない。しかし、予想時刻ｔｒ前に可動式ホーム柵１１の開閉部が閉扉する、または閉扉途中である場合には、画像処理部６５から、制御信号を列車編成信号出力装置６６、アラーム音出力スピーカ６７、および可動式ホーム柵６９に出力し、閉扉する時刻を延長すると共に、アラーム音を鳴動することで、乗客には閉扉が迫っていることを促す。
また、画像処理部６５は、図４に示した可動式ホーム柵１１の開閉部に一定時間乗客が留まっていると判断した場合には、制御信号を可動式ホーム柵６９に出力し、可動式ホーム柵１１の開閉部が閉扉前であれば閉扉時刻を延長させる。また、可動式ホーム柵１１の開閉部が閉扉後であった場合には、画像処理部６５から、制御信号を列車編成信号出力装置６６、警報ベル６８、および可動式ホーム柵６９に出力し、可動式ホーム柵１１の開閉部を強制開扉させると共に、警報ベルを鳴動させる。
また、画像処理部６５は、図４に示した可動式ホーム柵１１と車両４７間に乗客が一定時間以上留まっていると判断した場合において、可動式ホーム柵１１の開閉部が閉扉前であれば、制御信号を列車編成信号出力装置６６とアラーム音出力スピーカ６７に出力し、アラーム音を鳴動することで、乗客に閉扉が迫っていることを促す。さらに、可動式ホーム柵１１の開閉部が閉扉後であれば、制御信号を列車編成信号出力装置６６、警報ベル６８、および可動式ホーム柵１１を強制開扉させると共に、警報ベルを鳴動させて列車出発を強制的に停止させる。
【００３１】
図７は、本発明の可動式ホーム柵監視用カメラ装置の一実施例であって、天井裏に設置されたスリット式カメラ部について説明するための構成例を示す図である。図７（ａ）は、天井裏に設置されたスリット式カメラ部と可動式ホーム柵の一例を示す図であり、図７（ｂ）は、スリット式カメラ部が撮像する領域（撮像エリア）の一例を示す図である。７２はスリット式カメラ部、７１は天井面、７３は天井面７２に開けられたスリット、７５は可動式ホーム柵１１を上から見た図、７６はスリット式カメラ７２の撮像エリアである。
図７のスリット式カメラ部７２を用いた可動式ホーム柵監視用カメラ装置の一実施例の可動式ホーム柵監視用カメラ装置の構成は、図６の可動式ホーム柵監視用カメラ装置の構成において、カメラ部１２をスリット式カメラ部７２に置き換えた構成である。
図７において、天井裏（天井７１の上部）に設置されたカメラ部７２は、スリット７３を通して、可動式ホーム柵１１の上方からの俯瞰画像を撮像する。撮像された画像は、図６と同様に、映像分配器６２に出力される。以下、映像分配器６２以降の説明は省略する。
【００３２】
図８は、図７に示したスリット式カメラ部７２が撮像した画像を、時間順に合成した画像の一例を示す図である。
８０は合成画像、８１は通常の歩行速度で列車に乗車した乗客、８２は可動式ホーム柵の開閉部で留まっているか歩行速度の遅い乗客である。また、合成画像８０において、８３は時刻ｔのスリット画像、８４は時刻ｔ＋１のスリット画像、８５は時刻ｔ＋２のスリット画像、８６は時刻ｔ＋３のスリット画像、８７は時刻ｔ＋４のスリット画像、８８は時刻ｔ＋５のスリット画像、８９は時刻ｔ＋６のスリット画像、９０は時刻ｔ＋７のスリット画像、９１は時刻ｔ＋８のスリット画像、９２は時刻ｔ＋９のスリット画像、・・・である。このように、画像切出合成部６３は、時刻順にスリット画像を右方向に合成して画像８０を生成する。生成された画像８０は、モニタ６４に出力され、監視者はモニタ６４に表示される合成画像８０を見て駅ホームの可動式ホーム柵の開閉部およびその周辺を監視する。
【００３３】
このとき、通常の歩行速度で乗車した乗客は、通常の大きさの画像８１として表示されるが、可動式ホーム柵１１の開閉部で留まっているか、または歩行速度の遅い乗客は、横に間延びした画像８２として表示される。
監視者は、このような横に間延びした乗客画像８２を検出し、閉扉時刻が迫っていた場合にはアラーム音を鳴動させて乗客に注意を促す。また、閉扉後であれば可動式ホーム柵１１の開閉部を強制開扉させると共に、警報ベルを鳴動させて列車出発を強制的に停止させる。監視者は、これらの指示を図示しない操作器を用いて実行することができる。
【００３４】
また、図６の可動式ホーム柵監視用カメラ装置において、画像切出合成部６３が作成した合成画像８０を画像処理部６５に出力するようにし、画像処理部６５が画像処理によって、乗客を検出し、検出された乗客の大きさが所定の大きさより大きいか否かによって、可動式ホーム柵１１の開閉部で留まっているか、または歩行速度の遅い乗客を検出し、閉扉時刻が迫っていた場合にはアラーム音を鳴動させて乗客に注意を促し、また、閉扉後であれば可動式ホーム柵１１の開閉部を強制開扉させると共に、警報ベルを鳴動させて列車出発を強制的に停止させるようにしても良い。なお、乗客の大きさは、例えば、検出された乗客の時間方向（横方向）の長さが所定の値以上の場合に、乗客の大きさが大きいと判定しても良い。
【００３５】
図９は、本発明の可動式ホーム柵監視用カメラ装置の一実施例にであって、天井等の上方に設置したドーム式カメラ部について説明するための構成例を示す図である。９２はドーム式のカメラ部、９１はガラス面、９３は凸面反射鏡、９４は凹面反射鏡である。カメラ部９２は、例えば、高感度カメラである。
図９において、凸面反射鏡９３はマジックミラーであり、カメラ部９２は、外部に対して暗く、凸面反射鏡９３から外の映像を撮像することが可能である。
駅ホーム全体の画像は、凸面反射鏡９３で反射され、凹面反射鏡９４で再反射されてカメラ部９２に入射する。凸面反射鏡９３は、鏡面が凸面であるため、駅ホーム全体の広角な像を提供することが可能である。また、凸面反射鏡９３で生じる周囲の画像歪みは凹面反射鏡９４で光学的に補正するように設定する。
カメラ部９２に入射する光像は、凸面反射鏡（マジックミラー）９３を介しているため、光量が不足している。そのため、カメラ部９２は、高感度型カメラとし、映像レベルをアンプする機能を有する。
従来の全方位型カメラでは、カメラが凸面反射鏡下部に設置されカメラ本体により画像中心部が大きな死角となっている。本発明のカメラは、凹面反射鏡９４による死角は存在するが、凹面反射鏡９４を凸面反射鏡９３に対して小型にすることで、死角を軽減することが可能である。
【００３６】
図１０は、図９のドーム式カメラ部が撮像した画像と該撮像画像を変換した変換画像を説明するための図である。図１０（ａ）はドーム式カメラ部が撮像した円画像を示す図であり、図１０（ｂ）は図１０（ａ）の円形画像のうちの１／４を切り出した扇型画像を示す図であり、図１０（ｃ）は、図１０（ｂ）の扇型画像を矩形画像に変換した変換画像を示す図である。１０１はドーム式のカメラ部９２が撮像した円形画像、１０２は円形画像１０１の１／４の扇形画像、１０３は扇形画像１０２を座標変換した矩形画像である。
図６における本発明の可動式ホーム柵監視用カメラ装置において、画像切出合成部６３は、円形画像１０１から１／４の扇形画像１０２を切り出し、各扇形画像１０２を矩形画像１０３にそれぞれ変換する。このとき、扇形画像１０２の中心部に近いほど矩形画像１０３に変換する際の横方向の拡大率を大きくする必要がある。矩形画像１０３を、縦がＸピクセル、横がＹピクセルとすると、
矩形画像１０３の縦方向ｙにおける横方向の拡大率αyは、
αy＝Ｘ／（２πｒ×１／４）＝２Ｘ／πｒ            ・・・式（２）
となる。なお、ｒは、円形画像１０１の半径である。
生成された４枚の矩形画像１０３には、可動式ホーム柵の開閉部などの監視ポイントが複数含まれている。このため、好ましくは、上述の画像切出合成部６３では、監視ポイントのみを拡大して合成する。
【産業上の利用可能性】
【００３７】
上記実施例において、反射鏡は、道路反射鏡を用いても良いとした。さて、路上に設置された道路反射鏡の問題点は、鏡に映った像が左右反転して、自動車等の車両の運転者が、遠近を見誤ることである。例えば、大きく見える像が小さく見える像より近いと考えるが、左右反転しているためにこの位置関係が逆になっている。本発明によれば、カメラ部または画像処理部若しくは画像切出合成部で、画像を左右反転しているため、このような見誤りは起きない。従って、路上における車両の前方を撮像しているカメラの画像についても同様に、左右反転させて表示するようにすることで、運転者の見誤りを防止することができる。
本発明の産業上の利用可能性として、道路反射鏡の像を撮像するカメラについての応用が考えられる。
【符号の説明】
【００３８】
１１：可動式ホーム柵、  １２：カメラ部、  １３：カメラ窓、  １４：反射鏡、  ２１：画像、  ２２：可動式ホーム柵、  ２３開閉部Ａを中心に切り出した画像、  ２４：開閉部Ｂを中心に切り出した画像、  ２５：開閉部Ｃを中心に切り出した画像、  ２６：開閉部Ｄを中心に切り出した画像、  ２７：合成画像、  ４１：画像、  ４２：可動式ホーム柵、  ４３：移動速度の速い乗客、  ４４：移動速度の遅い乗客、  ４５：可動式ホーム柵の開閉エリア（開閉部）、  ４６：車両側のエリア、  ４７：車両、  ５１：時刻ｔの時に撮像された画像、  ５４：時刻ｔ＋１の時に撮像された画像、  ５７：時刻ｔ＋２の時に撮像された画像、  ５２、５５、５８：乗客（Ａ）、  ５３、５６、５９：乗客（Ｂ）、  ５１０：乗客（Ａ）と可動式ホーム柵の開閉部までの距離を示す矢印、  ６２：映像分配器、  ６３：画像切出合成部、  ６４：モニタ、  ６５：画像処理部、  ６６：列車編成信号出力装置、  ６７：アラーム音出力スピーカ、  ６８：警報ベル、  ６９：可動式ホーム柵、７１：スリット式カメラ部、  ７２：天井面、  ７３：スリット、  ７５：可動式ホーム柵１１を上から見た図、  ７６：撮像エリア、  ８０：合成画像、  ８１：通常の歩行速度で列車に乗車した乗客、  ８２：乗客、  ８３：時刻ｔのスリット画像、  ８４は時刻ｔ＋１のスリット画像、  ９１：ガラス面、  ９２：ドーム式のカメラ部、  ９３：凸面反射鏡、  ９４：凹面反射鏡。
【図１】
2013067215.tif 000003
【図２】
2013067215.tif 000004
【図３】
2013067215.tif 000005
【図４】
2013067215.tif 000006
【図５】
2013067215.tif 000007
【図６】
2013067215.tif 000008
【図７】
2013067215.tif 000009
【図８】
2013067215.tif 000010
【図９】
2013067215.tif 000011
【図１０】
2013067215.tif 000012